(57)【要約】【課題】高度調整可能な３６０度旋転椅子を提供する。【解決手段】高度調整可能な３６０度旋転椅子であって、旋転パッドと椅子の間にボール盤、旋転盤、及び、旋転パッドを設置し、ボール盤内のボールが底盤の大小円形トラック内で滑移し、旋転パッドを椅子上で３６０度旋転させる。【選択図】図２
0003138681.tif 000002
【実用新案登録請求の範囲】
【請求項１】
高度調整可能な３６０度旋転椅子であって、椅子と旋転パッドからなり、前記椅子の頂端は、嵌接素子を有して前記旋転パッドと嵌接し、前記嵌接素子中央は穿孔を有し、ねじにより下から上に貫通して前記旋転パッドと結合し、使用者が椅子の旋転パッド上に座ると３６０度旋転することができ、椅子下方の椅子の脚上に若干の凹孔を有し、前記椅子の脚の内部は内管を有し、前記内管上の弾性定位ブロックは、前記椅子の脚の任意の凹孔内に定位して、椅子の高度を変更することができることを特徴とする、高度調整可能な３６０度旋転椅子。
【請求項２】
前記旋転パッドは、中心孔が前記椅子の穿孔外環孔柱上に固定され、その上に大小円形のトラックを有し、外縁は若干の逆L字型のブロックを有する底盤と、内、外円環により、支承棒が連接してなり、前記内、外円環の槽内にそれぞれボールを嵌置し、前記ボールは、それぞれ、前記底盤の円形トラック内に位置して、前記トラック内で旋転するボール盤と、盤上に内、外円環を設置し、前記円環底部は、それぞれ、環形のトラックを前記ボール上に配置し、外縁は環形の縁を有し、前記縁が前記底盤のブロック内に固定される旋転盤と、前記旋転盤上を包覆する止滑パッドからなり、前記椅子の穿孔を貫通するねじは、前記旋転パッドの穿孔を貫通して、頂端のナットにより鎖固され、前記ボール盤、前記旋転盤、及び、前記旋転パッドは、前記旋転パッドを前記椅子上で帯動して旋転させることを特徴とする、請求項１に記載の高度調整可能な３６０度旋転椅子。
【考案の詳細な説明】
【技術分野】
【０００１】
本考案は、椅子の脚の高度が調整できる椅子上方の嵌接素子が旋転パッドと結合し、使用者が椅子に座ると体を自由に旋転移動して、物を取ったり、腰部をねじって運動することができる椅子に関するものである。
【背景技術】
【０００２】
椅子は座る道具であり、高さが調節できる椅子や、座部が回転する椅子もあるが、それだけの単一機能しかない。
【考案の開示】
【考案が解決しようとする課題】
【０００３】
本考案は、高度調整可能な３６０度旋転椅子を提供し、椅子上に携帯可能な旋転パッドを装着し、パッドの装着、取り外しが、非常に簡単快速で、随時、一般の椅子を旋転できる構造に組み立てることができ、体を旋転移動して物を取ったり、腰部をねじって運動することができるようにすることを目的とする。
【課題を解決するための手段】
【０００４】
本考案の高度調整可能な３６０度旋転椅子は、旋転パッドと椅子の間にボール盤、旋転盤、及び、旋転パッドを設置し、ボール盤内のボールが底盤の大小円形トラック内で滑移し、旋転パッドを椅子上で３６０度旋転させる。
【考案の効果】
【０００５】
椅子上に携帯可能な旋転パッドを装着し、パッドの装着、取り外しが、非常に簡単快速で、随時、一般の椅子を旋転機構に組み立てることができ、体を旋転移動して物を取ったり、腰部をねじって運動することができる。
【考案を実施するための最良の形態】
【０００６】
各図で示されるように、本考案は、椅子１上に旋転パッドを装着する。椅子１頂板中央に穿孔１１を有し、穿孔１１周辺に円形の嵌接素子１２を突出している。椅子１四端角下方に、それぞれ椅子の脚１３を挿設する。図５、図５−１で示されるように、上に若干の凹孔１３１を有する椅子の脚１３内部は、内管１４を設置し、内管１４上に弾性定位ブロック１４１を有する。定位ブロック１４１は、椅子の脚１３の凹孔１３１内に定位し、椅子１の高度を変えることができる。
【０００７】
図２、図３で示されるように、本考案の旋転パッドは、底盤２、ボール盤３、旋転盤４、旋転パッド５、及び、カバー６等の素子からなる。円形底盤２の中心孔２１は椅子１の穿孔１１外環の孔柱上に固定され、中心孔２１周辺は、直径が小さい円形トラック２２を有する。外側辺は、直径が大きい円形トラック２３を有する。小円形トラック２２内縁は直立の制限ブロック２４を有し、大円形トラック２２外縁は、若干の逆L字型ブロック２５を有する。ブロック２５は底盤２盤縁を環繞し、底盤２上に排水孔２６を設置する。ステンレスボール盤３は、内円環３１と外円環２３が支承棒３３により連接してなる回転盤で、内、外円環３１、３２のボール槽内は、それぞれ、ステンレスボール３４を嵌置し、ボール３４は、それぞれ、底盤２の大小円形トラック２３、２２内に位置し、且つ、トラック２３、２２内で旋転する。外形がボール盤３と類似する旋転盤４上にも、内、外円環４１、４２を設置し、内、外円環４１、４２の底部は環形トラック４３を設置し、それぞれ、ボール３４上に配置して、旋転盤４の外縁辺に環形の縁４４を有し、縁４４は底盤２のブロック２５内に固定されて、旋転盤４の脱離を防止する。頂端のプラスチック製の円形旋転盤５は旋転盤４上に位置し、中央に穿孔５１を有し、両側は一つの長形の排水孔５２を有する。底盤２の底部の円形嵌槽は、椅子１の円形嵌接素子１２を嵌接し、ねじ８は底部から椅子１の穿孔１１、及び、旋転パッド５の穿孔５１を貫通し、頂端のナット９と栓固する。旋転パッド５上に防水の止滑パッド６を有し、止滑パッド６は、体が不自由な人が椅子に座った時に、滑落するのを防止する以外に、パッドが椅子１から落ちるのを防止する。
【０００８】
本考案の椅子の高度が調整できる椅子、及び、旋転盤中間に設けられたボール盤、及び、旋転盤により３６０度旋転し、任意に椅子パッドの方向を変更し、椅子上で自由に体が旋転移動して物を取ったり、腰部をねじって運動することができる。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】本考案の外観図
【図２】本考案の立体分解図
【図３】本考案の部分断面図
【図４】本考案の前視図
【図５】本考案の実施例図
【図５−１】図５の部分拡大図
【符号の説明】
【００１１】
１          椅子
１１        穿孔
１２        嵌接素子
１３        脚
１３１      凹孔
１４        内管
１４１      定位ブロック
２          底盤
２１        中心孔
２２        トラック
２３        トラック
２４        制限ブロック
２５        ブロック
２６        排水孔
３          ボール盤
３１        内円管
３２        外円管
３３        支承棒
３４        ボール
４          旋転盤
４１        内円環
４２        外円環
４３        トラック
４４        縁
５          旋転盤
４４        縁
５          旋転パッド
５１        穿孔
５２        排水孔
６          止滑パッド
８          ねじ
９          ナット
【図１】
0003138681.tif 000003
【図２】
0003138681.tif 000004
【図３】
0003138681.tif 000005
【図４】
0003138681.tif 000006
【図５】
0003138681.tif 000007
【図５−１】
0003138681.tif 000008